(57)【要約】【課題】ハンドオーバパラメータの調整方向が相反するハンドオーバ失敗事象が同時に発生する場合に、ハンドオーバパラメータ調整の安定性の向上と、ハンドオーバの前又は後における通信品質の調整を行うことを図る。【解決手段】隣接基地局からの受信電力と接続基地局からの受信電力との電力差の判定の閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、前記閾値を小さくすると改善するハンドオーバ前通信品質情報と、を用いて、ハンドオーバ失敗を少なくするための前記閾値の調整方向を示す閾値調整重みを計算する閾値調整重み計算部１２と、前記閾値調整重みに基づいて前記閾値を決定する閾値決定部１３と、を備える。【選択図】図２
2015091113.tif 000002
【特許請求の範囲】
【請求項１】
移動端末が隣接基地局から受信する電力が接続基地局から受信する電力よりも閾値以上大きい電力差を有することが当該接続セルから当該隣接セルへハンドオーバする条件であるセルラシステムにおいて、セルごとに設けるハンドオーバパラメータ調整装置であり、
前記閾値を大きくするとハンドオーバ失敗が少なくなる第１のハンドオーバ失敗事象の発生回数と、
前記閾値を小さくするとハンドオーバ失敗が少なくなる第２のハンドオーバ失敗事象の発生回数と、
前記閾値を小さくすると改善するハンドオーバ前通信品質情報と、を用いて、
ハンドオーバ失敗を少なくするための前記閾値の調整方向を示す閾値調整重みを計算する閾値調整重み計算部と、
前記閾値調整重みに基づいて前記閾値を決定する閾値決定部と、
を備えたことを特徴とするハンドオーバパラメータ調整装置。
【請求項２】
前記閾値の調整の実行条件として、ハンドオーバ前の通信品質に関する条件を含むことを特徴とする請求項１に記載のハンドオーバパラメータ調整装置。
【請求項３】
移動端末が隣接基地局から受信する電力が接続基地局から受信する電力よりも閾値以上大きい電力差を有することが当該接続セルから当該隣接セルへハンドオーバする条件であるセルラシステムにおいて、セルごとに設けるハンドオーバパラメータ調整装置であり、
前記閾値を大きくするとハンドオーバ失敗が少なくなる第１のハンドオーバ失敗事象の発生回数と、
前記閾値を小さくするとハンドオーバ失敗が少なくなる第２のハンドオーバ失敗事象の発生回数と、
前記閾値を大きくすると改善するハンドオーバ後通信品質情報と、を用いて、
ハンドオーバ失敗を少なくするための前記閾値の調整方向を示す閾値調整重みを計算する閾値調整重み計算部と、
前記閾値調整重みに基づいて前記閾値を決定する閾値決定部と、
を備えたことを特徴とするハンドオーバパラメータ調整装置。
【請求項４】
前記閾値の調整の実行条件として、ハンドオーバ後の通信品質に関する条件を含むことを特徴とする請求項３に記載のハンドオーバパラメータ調整装置。
【請求項５】
前記接続基地局における各移動端末の通信品質を使用して、前記接続基地局におけるハンドオーバ後通信品質情報を作成する通信品質情報作成部をさらに備え、
前記接続基地局におけるハンドオーバ後通信品質情報は前記隣接基地局へ供給されることを特徴とする請求項３又は４のいずれか１項に記載のハンドオーバパラメータ調整装置。
【請求項６】
移動端末が隣接基地局から受信する電力が接続基地局から受信する電力よりも閾値以上大きい電力差を有することが当該接続セルから当該隣接セルへハンドオーバする条件であるセルラシステムにおいて、セルごとに設けるハンドオーバパラメータ調整装置であり、
前記閾値を大きくするとハンドオーバ失敗が少なくなる第１のハンドオーバ失敗事象の発生回数と、
前記閾値を小さくするとハンドオーバ失敗が少なくなる第２のハンドオーバ失敗事象の発生回数と、
前記閾値を小さくすると改善するハンドオーバ前通信品質情報と、
前記閾値を大きくすると改善するハンドオーバ後通信品質情報と、を用いて、
ハンドオーバ失敗を少なくするための前記閾値の調整方向を示す閾値調整重みを計算する閾値調整重み計算部と、
前記閾値調整重みに基づいて前記閾値を決定する閾値決定部と、
を備えたことを特徴とするハンドオーバパラメータ調整装置。
【請求項７】
前記閾値の調整の実行条件として、ハンドオーバ前の通信品質に関する条件とハンドオーバ後の通信品質に関する条件のいずれかが成立することであることを特徴とする請求項６に記載のハンドオーバパラメータ調整装置。
【請求項８】
前記接続基地局における各移動端末の通信品質を使用して、前記接続基地局におけるハンドオーバ後通信品質情報を作成する通信品質情報作成部をさらに備え、
前記接続基地局におけるハンドオーバ後通信品質情報は前記隣接基地局へ供給されることを特徴とする請求項６又は７のいずれか１項に記載のハンドオーバパラメータ調整装置。
【請求項９】
移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する方法であり、
閾値調整重み計算部が、
前記閾値を大きくするとハンドオーバ失敗が少なくなる第１のハンドオーバ失敗事象の発生回数と、
前記閾値を小さくするとハンドオーバ失敗が少なくなる第２のハンドオーバ失敗事象の発生回数と、
前記閾値を小さくすると改善するハンドオーバ前通信品質情報と、を用いて、
ハンドオーバ失敗を少なくするための前記閾値の調整方向を示す閾値調整重みを計算するステップと、
閾値決定部が、前記閾値調整重みに基づいて前記閾値を決定するステップと、
を含むことを特徴とするハンドオーバパラメータ調整方法。
【請求項１０】
移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する方法であり、
閾値調整重み計算部が、
前記閾値を大きくするとハンドオーバ失敗が少なくなる第１のハンドオーバ失敗事象の発生回数と、
前記閾値を小さくするとハンドオーバ失敗が少なくなる第２のハンドオーバ失敗事象の発生回数と、
前記閾値を大きくすると改善するハンドオーバ後通信品質情報と、を用いて、
ハンドオーバ失敗を少なくするための前記閾値の調整方向を示す閾値調整重みを計算するステップと、
閾値決定部が、前記閾値調整重みに基づいて前記閾値を決定するステップと、
を含むことを特徴とするハンドオーバパラメータ調整方法。
【請求項１１】
移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する方法であり、
閾値調整重み計算部が、
前記閾値を大きくするとハンドオーバ失敗が少なくなる第１のハンドオーバ失敗事象の発生回数と、
前記閾値を小さくするとハンドオーバ失敗が少なくなる第２のハンドオーバ失敗事象の発生回数と、
前記閾値を小さくすると改善するハンドオーバ前通信品質情報と、
前記閾値を大きくすると改善するハンドオーバ後通信品質情報と、を用いて、
ハンドオーバ失敗を少なくするための前記閾値の調整方向を示す閾値調整重みを計算するステップと、
閾値決定部が、前記閾値調整重みに基づいて前記閾値を決定するステップと、
を含むことを特徴とするハンドオーバパラメータ調整方法。
【請求項１２】
移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する処理を行うためのコンピュータプログラムであって、
前記閾値を大きくするとハンドオーバ失敗が少なくなる第１のハンドオーバ失敗事象の発生回数と、
前記閾値を小さくするとハンドオーバ失敗が少なくなる第２のハンドオーバ失敗事象の発生回数と、
前記閾値を小さくすると改善するハンドオーバ前通信品質情報と、を用いて、
ハンドオーバ失敗を少なくするための前記閾値の調整方向を示す閾値調整重みを計算する閾値調整重み計算ステップと、
前記閾値調整重みに基づいて前記閾値を決定する閾値決定ステップと、
をコンピュータに実行させるためのコンピュータプログラム。
【請求項１３】
移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する処理を行うためのコンピュータプログラムであって、
前記閾値を大きくするとハンドオーバ失敗が少なくなる第１のハンドオーバ失敗事象の発生回数と、
前記閾値を小さくするとハンドオーバ失敗が少なくなる第２のハンドオーバ失敗事象の発生回数と、
前記閾値を大きくすると改善するハンドオーバ後通信品質情報と、を用いて、
ハンドオーバ失敗を少なくするための前記閾値の調整方向を示す閾値調整重みを計算する閾値調整重み計算ステップと、
前記閾値調整重みに基づいて前記閾値を決定する閾値決定ステップと、
をコンピュータに実行させるためのコンピュータプログラム。
【請求項１４】
移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する処理を行うためのコンピュータプログラムであって、
前記閾値を大きくするとハンドオーバ失敗が少なくなる第１のハンドオーバ失敗事象の発生回数と、
前記閾値を小さくするとハンドオーバ失敗が少なくなる第２のハンドオーバ失敗事象の発生回数と、
前記閾値を小さくすると改善するハンドオーバ前通信品質情報と、
前記閾値を大きくすると改善するハンドオーバ後通信品質情報と、を用いて、
ハンドオーバ失敗を少なくするための前記閾値の調整方向を示す閾値調整重みを計算する閾値調整重み計算ステップと、
前記閾値調整重みに基づいて前記閾値を決定する閾値決定ステップと、
をコンピュータに実行させるためのコンピュータプログラム。
【発明の詳細な説明】
【技術分野】
【０００１】
本発明は、ハンドオーバパラメータ調整装置、ハンドオーバパラメータ調整方法およびコンピュータプログラムに関する。
【背景技術】
【０００２】
標準化団体の３ＧＰＰ（3rd Generation Partnership Project）において標準化されたＬＴＥ（Long Term Evolution）システムと呼ばれるセルラシステムが知られている。一般的にセルラシステムでは、移動端末が接続する基地局（以下、接続基地局と称する）を切り替えるためのハンドオーバ（Hand Over）処理は、移動端末から送信される測定報告を接続基地局が受信したことを契機に実行される。ＬＴＥシステムの場合、その測定報告のことを「Measurement Reportメッセージ（以下、ＭＲと称する）」と呼ぶ。ここで、移動端末がＭＲを送信するタイミングは、接続基地局が移動端末に設定するＭＲパラメータによって調節することができる。従って、移動端末がハンドオーバするタイミングは、ＭＲパラメータによって調節することができる。
【０００３】
ＭＲの送信契機としては様々な定義が可能であるが、ＬＴＥシステムの場合には、例えば「Ａ３ＭＲ」と呼ばれるＭＲが一般的にハンドオーバ処理で使用される。式（１）が満たされるときに、移動端末から接続基地局ｓへ、接続基地局ｓに隣接する基地局（以下、隣接基地局と称する）ｎに関するＡ３ＭＲが送信される（非特許文献１参照）。
【０００４】
【数１】
2015091113.tif 000003
【０００５】
但し、ｓは接続基地局の識別子（ＩＤ）、ｎは隣接基地局のＩＤである。Ｍ（ｓ，ｎ）は、移動端末が接続基地局ｓの隣接基地局ｎから送信された参照信号を受信したときの受信電力又は受信品質である。Ｍ（ｓ，ｓ）は、移動端末が接続基地局ｓから送信された参照信号を受信したときの受信電力又は受信品質である。ＬＴＥシステムでは、該受信電力は（Reference Signal Received Power：ＲＳＲＰ）［ｄＢｍ］と呼ばれ、また該受信品質は（Reference Signal Received Quality：ＲＳＲＱ）［ｄＢ］と呼ばれている。
【０００６】
Ｏｆ（ｓ，ｎ）は、接続基地局ｓが周波数帯の違いに基づいて設定する隣接基地局ｎに関するオフセット値である。Ｏｆ（ｓ，ｓ）は、接続基地局ｓが周波数帯の違いに基づいて設定する自基地局ｓに関するオフセット値である。Ｏｃ（ｓ，ｎ）は、接続基地局ｓが隣接基地局ｎごとに設定するオフセット値である。Ｏｃ（ｓ，ｓ）は、接続基地局ｓが設定する自基地局ｓに関するオフセット値である。Ｈｙｓ（ｓ）は、接続基地局ｓごとに設定される、ヒステリシスと呼ばれるオフセット値である。Ｏｆｆ（ｓ）は、接続基地局ｓごとに設定される、Ａ３ＭＲ固有のオフセット値である。これらのオフセット値はハンドオーバパラメータである。
【０００７】
上記式（１）は、移動端末が隣接基地局ｎから受信する電力が接続基地局ｓから受信する電力よりも閾値以上大きい電力差を有することが接続基地局ｓのセル（接続セルｓ）から隣接基地局ｎのセル（隣接セルｎ）へハンドオーバする条件（ハンドオーバ実行条件）であるセルラシステムにおいて、該ハンドオーバ実行条件を判定する判定式となる。該電力差の閾値は、式（１）の各オフセット値から構成される。従って、式（１）のオフセット値を変更することによって、接続セルｓから隣接セルｎへのハンドオーバ実行条件である電力差を変えることができる。これにより、移動端末が接続セルｓから隣接セルｎへハンドオーバするタイミングを変更することができる。
【０００８】
移動端末が接続セルから隣接セルへハンドオーバするタイミングを変更することで、ハンドオーバの失敗を低減し、また、不必要なハンドオーバを防止することができる。ハンドオーバの失敗事象は、大きく分けて以下の３つに分類できる（非特許文献２参照）。
【０００９】
（１）「Too Early HO（Hand Over）」
セルＡからセルＢへのハンドオーバ実行途中、もしくはハンドオーバが成功した直後に無線リンク断（Radio Link Failure：ＲＬＦ)が発生し、セルＡに再接続する事象である。「Too Early HO」は、ハンドオーバタイミングが早すぎることが一要因として考えられる。
【００１０】
（２）「Too Late HO」
移動端末がセルＡに接続中、もしくはセルＡからセルＢへのハンドオーバ実行途中にＲＬＦが発生し、セルＡとは異なるセルＢと接続を再確立する事象である。「Too Late HO」は、ハンドオーバタイミングが遅すぎることが一要因として考えられる。
【００１１】
（３）「HO to Wrong Cell」
セルＡからセルＢへのハンドオーバ実行途中、もしくはハンドオーバが成功した直後にＲＬＦが発生し、セルＡ、Ｂとは異なるセルＣと接続を再確立する事象である。セルＢは「Target Cell」と呼ばれ、セルＣは「Reconnection Cell」と呼ばれる。
【００１２】
又、特定の２つの隣接セルの間で一定期間内に一定回数以上ハンドオーバを繰り返す事象は、ピンポン（Ping-Pong）・ハンドオーバと呼ばれる。ピンポン・ハンドオーバは、不必要なハンドオーバであると考えられる。
【００１３】
従来のハンドオーバパラメータ調整技術として、例えば特許文献１に記載の技術が知られている。特許文献１に記載の従来のハンドオーバパラメータ調整技術では、移動端末が隣接基地局から受信する電力が接続基地局から受信する電力よりも閾値以上大きい電力差を有することが当該接続セルから当該隣接セルへハンドオーバする条件であるセルラシステムにおいて、該閾値を大きくするとハンドオーバ失敗が少なくなるハンドオーバ失敗事象の発生回数と、該閾値を小さくするとハンドオーバ失敗が少なくなるハンドオーバ失敗事象の発生回数と、を用いて、ハンドオーバ失敗を少なくするための該閾値の調整方向を示す閾値調整重みを計算し、該閾値調整重みに基づいて該閾値を決定している。これにより、ハンドオーバパラメータの調整方向が相反するハンドオーバ失敗事象が同時に発生する場合に、ハンドオーバパラメータ調整の安定性の向上を図っている。
【先行技術文献】
【特許文献】
【００１４】
【特許文献１】特許第５２７７２６１号公報
【非特許文献】
【００１５】
【非特許文献１】3GPP, TS 36.331, v9.3.0, 2010-06
【非特許文献２】3GPP, TS 36.300, v9.4.0, 2010-06
【発明の概要】
【発明が解決しようとする課題】
【００１６】
しかし、上述した特許文献１に記載される従来のハンドオーバパラメータ調整技術では、ハンドオーバ前後の通信品質が考慮されないという課題がある。したがって、従来のハンドオーバパラメータ調整技術では、ハンドオーバパラメータ調整の安定性の向上を図るとともに、例えばハンドオーバの前又は後における通信品質が所望のＱｏＳ（Quality of Service）を満たすように、ハンドオーバパラメータの調整を行うことはできない。
【００１７】
本発明は、このような事情を考慮してなされたもので、ハンドオーバパラメータの調整方向が相反するハンドオーバ失敗事象が同時に発生する場合に、ハンドオーバパラメータ調整の安定性の向上を図るとともに、ハンドオーバの前又は後における通信品質の調整を行うことができるハンドオーバパラメータ調整装置、ハンドオーバパラメータ調整方法およびコンピュータプログラムを提供することを課題とする。
【課題を解決するための手段】
【００１８】
（１）本発明に係るハンドオーバパラメータ調整装置は、移動端末が隣接基地局から受信する電力が接続基地局から受信する電力よりも閾値以上大きい電力差を有することが当該接続セルから当該隣接セルへハンドオーバする条件であるセルラシステムにおいて、セルごとに設けるハンドオーバパラメータ調整装置であり、前記閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、前記閾値を小さくすると改善するハンドオーバ前通信品質情報と、を用いて、ハンドオーバ失敗を少なくするための前記閾値の調整方向を示す閾値調整重みを計算する閾値調整重み計算部と、前記閾値調整重みに基づいて前記閾値を決定する閾値決定部と、を備えたことを特徴とする。
【００１９】
（２）本発明に係るハンドオーバパラメータ調整装置は、上記（１）のハンドオーバパラメータ調整装置において、前記閾値の調整の実行条件として、ハンドオーバ前の通信品質に関する条件を含むことを特徴とする。
【００２０】
（３）本発明に係るハンドオーバパラメータ調整装置は、移動端末が隣接基地局から受信する電力が接続基地局から受信する電力よりも閾値以上大きい電力差を有することが当該接続セルから当該隣接セルへハンドオーバする条件であるセルラシステムにおいて、セルごとに設けるハンドオーバパラメータ調整装置であり、前記閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、前記閾値を大きくすると改善するハンドオーバ後通信品質情報と、を用いて、ハンドオーバ失敗を少なくするための前記閾値の調整方向を示す閾値調整重みを計算する閾値調整重み計算部と、前記閾値調整重みに基づいて前記閾値を決定する閾値決定部と、を備えたことを特徴とする。
【００２１】
（４）本発明に係るハンドオーバパラメータ調整装置は、上記（３）のハンドオーバパラメータ調整装置において、前記閾値の調整の実行条件として、ハンドオーバ後の通信品質に関する条件を含むことを特徴とする。
【００２２】
（５）本発明に係るハンドオーバパラメータ調整装置は、上記（３）又は（４）のいずれかのハンドオーバパラメータ調整装置において、前記接続基地局における各移動端末の通信品質を使用して、前記接続基地局におけるハンドオーバ後通信品質情報を作成する通信品質情報作成部をさらに備え、前記接続基地局におけるハンドオーバ後通信品質情報は前記隣接基地局へ供給されることを特徴とする。
【００２３】
（６）本発明に係るハンドオーバパラメータ調整装置は、移動端末が隣接基地局から受信する電力が接続基地局から受信する電力よりも閾値以上大きい電力差を有することが当該接続セルから当該隣接セルへハンドオーバする条件であるセルラシステムにおいて、セルごとに設けるハンドオーバパラメータ調整装置であり、前記閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、前記閾値を小さくすると改善するハンドオーバ前通信品質情報と、前記閾値を大きくすると改善するハンドオーバ後通信品質情報と、を用いて、ハンドオーバ失敗を少なくするための前記閾値の調整方向を示す閾値調整重みを計算する閾値調整重み計算部と、前記閾値調整重みに基づいて前記閾値を決定する閾値決定部と、を備えたことを特徴とする。
【００２４】
（７）本発明に係るハンドオーバパラメータ調整装置は、上記（６）のハンドオーバパラメータ調整装置において、前記閾値の調整の実行条件として、ハンドオーバ前の通信品質に関する条件とハンドオーバ後の通信品質に関する条件のいずれかが成立することであることを特徴とする。
【００２５】
（８）本発明に係るハンドオーバパラメータ調整装置は、上記（６）又は（７）のいずれかのハンドオーバパラメータ調整装置において、前記接続基地局における各移動端末の通信品質を使用して、前記接続基地局におけるハンドオーバ後通信品質情報を作成する通信品質情報作成部をさらに備え、前記接続基地局におけるハンドオーバ後通信品質情報は前記隣接基地局へ供給されることを特徴とする。
【００２６】
（９）本発明に係るハンドオーバパラメータ調整方法は、移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する方法であり、閾値調整重み計算部が、前記閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、前記閾値を小さくすると改善するハンドオーバ前通信品質情報と、を用いて、ハンドオーバ失敗を少なくするための前記閾値の調整方向を示す閾値調整重みを計算するステップと、閾値決定部が、前記閾値調整重みに基づいて前記閾値を決定するステップと、を含むことを特徴とする。
【００２７】
（１０）本発明に係るハンドオーバパラメータ調整方法は、移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する方法であり、閾値調整重み計算部が、前記閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、前記閾値を大きくすると改善するハンドオーバ後通信品質情報と、を用いて、ハンドオーバ失敗を少なくするための前記閾値の調整方向を示す閾値調整重みを計算するステップと、閾値決定部が、前記閾値調整重みに基づいて前記閾値を決定するステップと、を含むことを特徴とする。
【００２８】
（１１）本発明に係るハンドオーバパラメータ調整方法は、移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する方法であり、閾値調整重み計算部が、前記閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、前記閾値を小さくすると改善するハンドオーバ前通信品質情報と、前記閾値を大きくすると改善するハンドオーバ後通信品質情報と、を用いて、ハンドオーバ失敗を少なくするための前記閾値の調整方向を示す閾値調整重みを計算するステップと、閾値決定部が、前記閾値調整重みに基づいて前記閾値を決定するステップと、を含むことを特徴とする。
【００２９】
（１２）本発明に係るコンピュータプログラムは、移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する処理を行うためのコンピュータプログラムであって、前記閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、前記閾値を小さくすると改善するハンドオーバ前通信品質情報と、を用いて、ハンドオーバ失敗を少なくするための前記閾値の調整方向を示す閾値調整重みを計算する閾値調整重み計算ステップと、前記閾値調整重みに基づいて前記閾値を決定する閾値決定ステップと、をコンピュータに実行させるためのコンピュータプログラムであることを特徴とする。
【００３０】
（１３）本発明に係るコンピュータプログラムは、移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する処理を行うためのコンピュータプログラムであって、前記閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、前記閾値を大きくすると改善するハンドオーバ後通信品質情報と、を用いて、ハンドオーバ失敗を少なくするための前記閾値の調整方向を示す閾値調整重みを計算する閾値調整重み計算ステップと、前記閾値調整重みに基づいて前記閾値を決定する閾値決定ステップと、をコンピュータに実行させるためのコンピュータプログラムであることを特徴とする。
【００３１】
（１４）本発明に係るコンピュータプログラムは、移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する処理を行うためのコンピュータプログラムであって、前記閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、前記閾値を小さくすると改善するハンドオーバ前通信品質情報と、前記閾値を大きくすると改善するハンドオーバ後通信品質情報と、を用いて、ハンドオーバ失敗を少なくするための前記閾値の調整方向を示す閾値調整重みを計算する閾値調整重み計算ステップと、前記閾値調整重みに基づいて前記閾値を決定する閾値決定ステップと、をコンピュータに実行させるためのコンピュータプログラムであることを特徴とする。
【発明の効果】
【００３２】
本発明によれば、ハンドオーバパラメータの調整方向が相反するハンドオーバ失敗事象が同時に発生する場合に、ハンドオーバパラメータ調整の安定性の向上を図るとともに、ハンドオーバの前又は後における通信品質の調整を行うことができるという効果が得られる。
【図面の簡単な説明】
【００３３】
【図１】本発明の実施例１に係るセルラシステムの構成例を示す概念図である。
【図２】本発明の実施例１に係るハンドオーバパラメータ調整装置１０の構成図である。
【図３】発明の実施例１に係るハンドオーバパラメータ調整処理のフローチャートの一例である。
【図４】本発明の実施例３に係るハンドオーバパラメータ調整装置１０の構成図である。
【発明を実施するための形態】
【００３４】
以下、図面を参照し、本発明の実施形態について実施例を挙げて説明する。以下の各実施例では、セルラシステムの一例としてＬＴＥシステムを挙げて説明する。
【実施例１】
【００３５】
図１は、本発明の実施例１に係るセルラシステムの構成例を示す概念図である。図１において、各基地局１は各セル１１０、１２０、１３０に対応して設けられる。ハンドオーバパラメータ調整装置１０は、セル１１０、１２０、１３０ごとに設けられる。ハンドオーバパラメータ調整装置１０は、自セルの基地局１との間でデータを送受する。なお、ハンドオーバパラメータ調整装置１０は、独立した装置として構成されてもよく、あるいは、基地局１に実装されてもよい。
【００３６】
移動端末２は、基地局１と無線接続する。移動端末２は、式（１）を判定し、合格となった場合にＡ３ＭＲを接続基地局へ送信する。このＡ３ＭＲの送信は、移動端末２が接続セルｓから隣接セルｎへハンドオーバする契機となる。式（１）の各種のオフセット値は、接続基地局ｓから移動端末２へ通知される。移動端末２は、接続基地局ｓから通知されたオフセット値を用いて、式（１）を構成する。
【００３７】
図２は、本発明の実施例１に係るハンドオーバパラメータ調整装置１０の構成図である。図２において、ハンドオーバパラメータ調整装置１０は、通信品質情報作成部１１と閾値調整重み計算部１２と閾値決定部１３を有する。ハンドオーバパラメータ調整装置１０には、自セルの基地局１から入力データ２１が入力される。ハンドオーバパラメータ調整装置１０は、入力データ２１を用いてハンドオーバパラメータ調整処理を行い、出力データ２２を自セルの基地局１へ出力する。
【００３８】
入力データ２１は、自セル（接続セルｓ）で発生した各ハンドオーバ失敗事象の発生回数と、自セル（接続セルｓ）における移動端末２の通信品質を示す端末通信品質情報とを有する。ハンドオーバ失敗事象の発生回数および端末通信品質情報は一定期間内に測定されたものである。
【００３９】
ハンドオーバ失敗事象として、以下に示す５種類のハンドオーバ失敗事象（１−Ａ）〜（１−Ｅ）が挙げられる。
（１−Ａ）隣接セルｎに対する「Too Early HO」
（１−Ｂ）隣接セルｎに対する「Too Late HO」
（１−Ｃ）隣接セルｎを「Target Cell」とした「HO to Wrong Cell」
（１−Ｄ）隣接セルｎを「Reconnection Cell」とした「HO to Wrong Cell」
（１−Ｅ）隣接セルｎに対するピンポン・ハンドオーバ
【００４０】
端末通信品質情報として、移動端末２の通信品質値を使用する。通信品質値としては、例えば、パケット誤り率、パケット送達遅延時間、スループットなどが挙げられる。ここでは、通信品質値の一例としてパケット誤り率を使用して説明する。
【００４１】
通信品質情報作成部１１は、入力データ２１に含まれる各移動端末２のパケット誤り率を使用して、ハンドオーバ前通信品質情報を作成する。ハンドオーバ前通信品質情報として、自セル（接続セルｓ）からいずれかの隣接セルへハンドオーバした移動端末２のハンドオーバ前の通信品質を示す情報が挙げられる。また、ハンドオーバ前通信品質情報として、自セル（接続セルｓ）から隣接セルｎへハンドオーバした移動端末２のハンドオーバ前の通信品質を示す情報が挙げられる。
【００４２】
ここでは、通信品質値としてパケット誤り率を使用するので、ハンドオーバ前通信品質情報として、いずれかの隣接セルを「Target Cell」としたハンドオーバにおける、ハンドオーバ前のパケット誤り率が挙げられる。また、ハンドオーバ前通信品質情報として、隣接セルｎを「Target Cell」としたハンドオーバにおける、ハンドオーバ前のパケット誤り率が挙げられる。
【００４３】
なお、自セル（接続セルｓ）で測定された端末通信品質情報は、隣接セルｎを「Target Cell」としたハンドオーバ前における、移動端末２の通信品質を示す。したがって、自セルの基地局１からの入力データ２１に含まれる端末通信品質情報は、隣接セルｎを「Target Cell」としたハンドオーバ前における、移動端末２の通信品質を示している。
【００４４】
実施例１では、式（１）において電力差「Ｍ（ｓ，ｎ）−Ｍ（ｓ，ｓ）」を判定する閾値を調整することによって、ハンドオーバ失敗事象の低減と、ハンドオーバ前通信品質情報の改善とを図る。
【００４５】
ここで、上記５種類のハンドオーバ失敗事象（１−Ａ）〜（１−Ｅ）を、第１のハンドオーバ失敗事象と第２のハンドオーバ失敗事象の２つに分類する。
【００４６】
（１−Ａ）隣接セルｎに対する「Too Early HO」と（１−Ｃ）隣接セルｎを「Target Cell」とした「HO to Wrong Cell」とは、電力差「Ｍ（ｓ，ｎ）−Ｍ（ｓ，ｓ）」の閾値を大きくすると、発生回数を低減することができる（第１のハンドオーバ失敗事象）。
【００４７】
これに対し、（１−Ｂ）隣接セルｎに対する「Too Late HO」と（１−Ｄ）隣接セルｎを「Reconnection Cell」とした「HO to Wrong Cell」とは、電力差「Ｍ（ｓ，ｎ）−Ｍ（ｓ，ｓ）」の閾値を小さくすると、発生回数を低減することができる（第２のハンドオーバ失敗事象）。
【００４８】
（１−Ｅ）隣接セルｎに対するピンポン・ハンドオーバは、電力差「Ｍ（ｓ，ｎ）−Ｍ（ｓ，ｓ）」の閾値を大きくすると、発生回数を低減することができる（第１のハンドオーバ失敗事象）。
【００４９】
また、隣接セルｎを「Target Cell」としたハンドオーバにおける、ハンドオーバ前の通信品質値は、電力差「Ｍ（ｓ，ｎ）−Ｍ（ｓ，ｓ）」の閾値を小さくすると、改善することができる。したがって、隣接セルｎを「Target Cell」としたハンドオーバにおける、ハンドオーバ前のパケット誤り率は、電力差「Ｍ（ｓ，ｎ）−Ｍ（ｓ，ｓ）」の閾値を小さくすると、パケット誤り率を低減することができる。
【００５０】
閾値調整重み計算部１２は、入力データ２１に含まれる各ハンドオーバ失敗事象の発生回数と、通信品質情報作成部１１によって作成されたハンドオーバ前通信品質情報とを使用して、電力差「Ｍ（ｓ，ｎ）−Ｍ（ｓ，ｓ）」の閾値の調整方向を示す閾値調整重みを計算する。
【００５１】
電力差「Ｍ（ｓ，ｎ）−Ｍ（ｓ，ｓ）」の閾値は、式（１）に係る６種類のオフセット値（Ｏｆ（ｓ，ｎ）、Ｏｆ（ｓ，ｓ）、Ｏｃ（ｓ，ｎ）、Ｏｃ（ｓ，ｓ）、Ｈｙｓ（ｓ）、ＯｆｆＡ３（ｓ））から構成される。実施例１では、これら６種類のオフセット値のうち、Ｏｃ（ｓ，ｎ）を調整する。Ｏｃ（ｓ，ｎ）は、自セルの基地局１（接続基地局ｓ）が隣接基地局ｎごとに設定するオフセット値である。従って、ハンドオーバパラメータ調整装置１０は、隣接基地局ｎ（隣接セルｎ）ごとに、Ｏｃ（ｓ，ｎ）を調整する。
【００５２】
又、ハンドオーバパラメータ調整装置１０は、必要に応じて、Ｏｆｆ（ｓ）を調整する。Ｏｆｆ（ｓ）は、接続基地局ｓごとに設定される、Ａ３ＭＲ固有のオフセット値である。
【００５３】
式（１）において、Ｏｃ（ｓ，ｎ）はＭ（ｓ，ｎ）と同じ左辺にあって正符号を有する。従って、電力差「Ｍ（ｓ，ｎ）−Ｍ（ｓ，ｓ）」の閾値を大きくする場合にはＯｃ（ｓ，ｎ）を小さくし、該閾値を小さくする場合にはＯｃ（ｓ，ｎ）を大きくする。実施例１では、そのＯｃ（ｓ，ｎ）の調整方向を示す閾値調整重みを式（２）で定義する。この式（２）の閾値調整重みで示される調整方向は、Ｏｃ（ｓ，ｎ）の調整方向を示すので、上記したように、電力差「Ｍ（ｓ，ｎ）−Ｍ（ｓ，ｓ）」の閾値の調整方向とは逆になる。つまり、式（２）の閾値調整重みが大きいほどＯｃ（ｓ，ｎ）を大きくするので電力差「Ｍ（ｓ，ｎ）−Ｍ（ｓ，ｓ）」の閾値を小さくし、式（２）の閾値調整重みが小さいほどＯｃ（ｓ，ｎ）を小さくするので電力差「Ｍ（ｓ，ｎ）−Ｍ（ｓ，ｓ）」の閾値を大きくすることを表す。
【００５４】
閾値調整重み =
−(w1×(「Too Early HO」発生回数)+b1)
+(w2×(「Too Late HO」発生回数)+b2)
−(w3×(隣接セルnを「Target Cell」とした「HO to Wrong Cell」発生回数)+b3)
+(w4×(隣接セルnを「Reconnection Cell」とした「HO to Wrong Cell」発生回数)+b4)
+(w5×(隣接セルnを「Target Cell」としたハンドオーバにおける、ハンドオーバ前のパケット誤り率)+b5)
・・・（２）
【００５５】
但し、ｗ１、ｗ２、ｗ３、ｗ４及びｗ５並びにｂ１、ｂ２、ｂ３、ｂ４及びｂ５は実数である。ハンドオーバパラメータ調整を行う際には、ｗ１、ｗ２、ｗ３、ｗ４及びｗ５並びにｂ１、ｂ２、ｂ３、ｂ４及びｂ５の設定値によって、各ハンドオーバ失敗事象とハンドオーバ前のパケット誤り率をどの程度考慮するのかを調整することができる。例えばｗ３、ｂ３、ｗ４及びｂ４を０とすれば、「HO to Wrong Cell」を考慮せず、「Too Early HO」、「Too Late HO」及びハンドオーバ前のパケット誤り率のみを考慮して、ハンドオーバ失敗率及びハンドオーバ前のパケット誤り率を下げるパラメータ調整を実施することができる。
【００５６】
閾値決定部１３は、閾値調整重み計算部１２によって算出された式（２）の閾値調整重みに基づいて、隣接基地局ｎ（隣接セルｎ）ごとにＯｃ（ｓ，ｎ）を決定する。該決定された各隣接基地局ｎ（隣接セルｎ）のＯｃ（ｓ，ｎ）は、出力データ２２として出力される。ハンドオーバパラメータ調整処理の結果である出力データ２２は、電力差「Ｍ（ｓ，ｎ）−Ｍ（ｓ，ｓ）」の閾値を定めるものである。
【００５７】
次に、図３を参照して、実施例１に係るハンドオーバパラメータ調整処理の一例を説明する。図３は、本発明の実施例１に係るハンドオーバパラメータ調整処理のフローチャートの一例である。以下の説明では、便宜上、式（２）の閾値調整重みのことをオフセット調整重みと称する。
【００５８】
ハンドオーバパラメータ調整装置１０は、一定の周期で図３のハンドオーバパラメータ調整処理を開始する。
【００５９】
ステップＳ１：閾値決定部１３は、パラメータ調整の実行条件Ａ１を判定する。パラメータ調整の実行条件Ａ１は、自セルにおいて、以下の条件Ａ１−１、Ａ１−２のいずれかが成立することである。
（条件Ａ１−１）ハンドオーバ失敗率が規定値（ｘ１％）以上である。
（条件Ａ１−２）隣接セル個別のハンドオーバ失敗率が規定値（ｘ２％）以上である。
【００６０】
ステップＳ２：閾値決定部１３は、ステップＳ１の判定の結果、パラメータ調整の実行条件Ａ１を満足する場合にステップＳ３へ進む。パラメータ調整の実行条件Ａ１を満足しない場合には、図３のハンドオーバパラメータ調整処理を終了する。
【００６１】
ステップＳ３：閾値決定部１３は、隣接セルリスト（Neighbor List）から未選択の隣接セルを一つ選択する。隣接セルリストは、隣接セルのＩＤのリストである。
【００６２】
ステップＳ４：閾値決定部１３は、ステップＳ３で選択した隣接セルｎに対して、パラメータ調整の実行条件Ａ２を判定する。パラメータ調整の実行条件Ａ２は、自セルと隣接セルｎとの間において、以下の条件Ａ２−１、Ａ２−２のいずれかが成立することである。
（条件Ａ２−１）ハンドオーバ発生回数が規定値（ｙ１回）以上かつハンドオーバ失敗率が規定値（ｘ３％）以上である。
（条件Ａ２−２）ハンドオーバ発生回数が規定値（ｙ１回）未満かつハンドオーバ失敗回数が規定値（ｙ２回）以上である。
【００６３】
ステップＳ５：閾値決定部１３は、ステップＳ４の判定の結果、パラメータ調整の実行条件Ａ２を満足する場合にステップＳ６へ進む。パラメータ調整の実行条件Ａ２を満足しない場合には、ステップＳ１６へ進む。
【００６４】
ステップＳ６：閾値調整重み計算部１２は、式（２）により、隣接セルｎに係るオフセット調整重みを計算する。
【００６５】
ステップＳ７：閾値決定部１３は、隣接セルｎに係るオフセット調整重みに基づいて、隣接セルｎに係るＯｃ（ｓ，ｎ）を決定する。
【００６６】
ステップＳ７に係るＯｃ（ｓ，ｎ）決定方法を説明する。まず、定数ｃを０以上の実数として予め設定しておく。オフセット調整重みが定数ｃよりも大きい場合には、Ｏｃ（ｓ，ｎ）を現在値よりも大きくする。オフセット調整重みが定数ｃ以下「−ｃ」以上である場合には、Ｏｃ（ｓ，ｎ）をそのまま（現在値を維持）とする。オフセット調整重みが「−ｃ」よりも小さい場合には、Ｏｃ（ｓ，ｎ）を現在値よりも小さくする。Ｏｃ（ｓ，ｎ）の変更量としては、固定量であってもよく、あるいは、オフセット調整重みの大きさに応じた可変量であってもよい。
【００６７】
ステップＳ８：閾値決定部１３は、隣接セルｎについてオフセット調整履歴の条件Ｂ１を判定する。オフセット調整履歴の条件Ｂ１は、直近の過去の所定回数のＯｃ（ｓ，ｎ）調整方向が上げ下げしていないことである。
【００６８】
ステップＳ９：閾値決定部１３は、ステップＳ８の判定の結果、オフセット調整履歴の条件Ｂ１を満足する場合にステップＳ１０へ進む。オフセット調整履歴の条件Ｂ１を満足しない場合には、ステップＳ１１へ進む。
【００６９】
ステップＳ１０：閾値決定部１３は、ステップＳ７で決定された隣接セルｎに係るＯｃ（ｓ，ｎ）を出力データ２２に設定する。この後、ステップＳ１５へ進む。なお、このステップＳ１０では、出力データ２２にＯｃ（ｓ，ｎ）を設定するだけであり、まだ出力データ２２は出力しない。
【００７０】
ステップＳ１１：閾値決定部１３は、隣接セルｎについてオフセット調整履歴の条件Ｂ２を判定する。オフセット調整履歴の条件Ｂ２は、直近の過去の所定回数連続して、Ｏｃ（ｓ，ｎ）の調整がキャンセルされていることである。
【００７１】
ステップＳ１２：閾値決定部１３は、ステップＳ１１の判定の結果、オフセット調整履歴の条件Ｂ２を満足する場合にステップＳ１３へ進む。オフセット調整履歴の条件Ｂ２を満足しない場合には、ステップＳ１４へ進む。
【００７２】
ステップＳ１３：閾値決定部１３は、隣接セルｎのオフセット調整履歴をクリアする。この後、ステップＳ１０へ進む。
【００７３】
ステップＳ１４：閾値決定部１３は、隣接セルｎに係る今回のＯｃ（ｓ，ｎ）調整をキャンセルする。この後、ステップＳ１５へ進む。
【００７４】
ステップＳ１５：閾値決定部１３は、隣接セルｎのオフセット調整履歴を更新する。
【００７５】
ステップＳ１６：閾値決定部１３は、隣接セルリスト内に未選択の隣接セルが残っているかを判断する。この結果、隣接セルリスト内に未選択の隣接セルが残っている場合にステップＳ３に戻る。隣接セルリスト内に未選択の隣接セルが残っていない場合にはステップＳ１７に進む。
【００７６】
ステップＳ１７：閾値決定部１３は、出力データ２２に設定された全Ｏｃ（ｓ，ｎ）を対象にして、上限および下限の規定を満足しているかを判定する。
【００７７】
ステップＳ１８：閾値決定部１３は、ステップＳ１７の判定の結果、出力データ２２に設定された全Ｏｃ（ｓ，ｎ）が上限および下限の規定を満足している場合に、図３のハンドオーバパラメータ調整処理を終了する。出力データ２２に設定されたいずれかのＯｃ（ｓ，ｎ）が上限又は下限の規定を満足していない場合には、ステップＳ１９に進む。
【００７８】
ステップＳ１９：閾値決定部１３は、出力データ２２に設定された全Ｏｃ（ｓ，ｎ）を対象にして、上限および下限の規定を満足するように全体調整する。この後、図３のハンドオーバパラメータ調整処理を終了する。
【００７９】
ステップＳ１９に係る全体調整方法を説明する。実施例１では、式（１）に係るＯｆｆ（ｓ）を用いて、全体調整を行う。具体的には、まず、出力データ２２に設定された全Ｏｃ（ｓ，ｎ）を対象にして中央値を求める。次いで、その中央値分をＯｆｆ（ｓ）に移す。次いで、出力データ２２に設定された全Ｏｃ（ｓ，ｎ）を対象にして、各Ｏｃ（ｓ，ｎ）から中央値分を減ずる。
【００８０】
ハンドオーバパラメータ調整装置１０は、図３のハンドオーバパラメータ調整処理の終了後、出力データ２２を自セルの基地局１へ出力する。
【００８１】
なお、ステップＳ１９において、式（１）に係るＨｙｓ（ｓ）を用いて全体調整を行ってもよい。又、ステップＳ１９において、中央値の代わりに平均値を用いてもよい。
【００８２】
上述した実施例１によれば、式（２）の閾値調整重み（オフセット調整重み）を使用することによって、ハンドオーバパラメータの調整方向が相反するハンドオーバ失敗事象（第１のハンドオーバ失敗事象、第２のハンドオーバ失敗事象）と、ハンドオーバ前のパケット誤り率とを考慮して、Ｏｃ（ｓ，ｎ）の調整方向が決められる。これにより、ハンドオーバパラメータの調整方向が相反するハンドオーバ失敗事象が同時に発生する場合に、ハンドオーバパラメータ調整の安定性の向上を図るとともに、ハンドオーバ前のパケット誤り率の調整を行うことができるという効果が得られる。
【実施例２】
【００８３】
実施例２は実施例１の変形例である。実施例２に係るセルラシステム、ハンドオーバパラメータ調整装置１０の各構成は実施例１に係る図１、図２と同様である。また、実施例２に係るハンドオーバパラメータ調整処理は、実施例１に係る図３と同様である。但し、実施例２では、図３のステップＳ１におけるパラメータ調整の実行条件Ａ１は、自セルにおいて、以下の条件Ａ１−１、Ａ１−２、Ａ１−３、Ａ１−４、Ａ１−５のいずれかが成立することである。
【００８４】
（条件Ａ１−１）ハンドオーバ失敗率が規定値（ｘ１％）以上である。
（条件Ａ１−２）隣接セル個別のハンドオーバ失敗率が規定値（ｘ２％）以上である。
（条件Ａ１−３）隣接セル個別のピンポン・ハンドオーバ発生回数が規定値（ｚ回）以上であることである。
（条件Ａ１−４）ハンドオーバ前のパケット誤り率が規定値（α１％）以上である。
（条件Ａ１−５）隣接セル個別のハンドオーバ前のパケット誤り率が規定値（α２％）以上である。
【００８５】
実施例２では、パラメータ調整の実行条件として、ハンドオーバ前のパケット誤り率に関する条件Ａ１−４、Ａ１−５を含む。これにより、ハンドオーバ前のパケット誤り率を改善させる効果がより高まる。
【００８６】
また、実施例２では、パラメータ調整の実行条件として、ピンポン・ハンドオーバ発生回数に関する条件Ａ１−３を含む。これにより、ピンポン・ハンドオーバに対しても改善効果が期待できる。
【実施例３】
【００８７】
実施例３は、ハンドオーバ後の通信品質の調整を可能とする実施例である。実施例３に係るセルラシステムの構成は実施例１に係る図１と同様である。但し、ハンドオーバパラメータ調整装置１０は、自セルの基地局１及び隣接セルの基地局１との間でそれぞれデータを送受する。
【００８８】
図４は、本発明の実施例３に係るハンドオーバパラメータ調整装置１０の構成図である。図４において図２の各部に対応する部分には同一の符号を付している。実施例３に係るハンドオーバパラメータ調整装置１０は、実施例１に係る図２と同様の構成である。但し、実施例３に係るハンドオーバパラメータ調整装置１０には、自セルの基地局１からの入力データ２１に加えてさらに、隣接セルの基地局１からの入力データ３１が入力される。ハンドオーバパラメータ調整装置１０は、入力データ２１及び入力データ３１を用いてハンドオーバパラメータ調整処理を行い、出力データ２２を自セルの基地局１へ出力する。また、ハンドオーバパラメータ調整装置１０は、出力データ３２を隣接セルの基地局１へ出力する。
【００８９】
自セルの基地局１からの入力データ２１は、実施例１と同様であり、自セル（接続セルｓ）で発生した各ハンドオーバ失敗事象の発生回数と、自セル（接続セルｓ）における移動端末２の通信品質を示す端末通信品質情報とを有する。
【００９０】
ここでは、実施例１と同様に、端末通信品質情報としてパケット誤り率を使用して説明する。実施例３では、通信品質情報作成部１１は、入力データ２１に含まれる各移動端末２のパケット誤り率を使用して、自セルにおけるハンドオーバ後通信品質情報（自セルハンドオーバ後通信品質情報）を作成する。自セルハンドオーバ後通信品質情報として、いずれかの隣接セルから自セル（接続セルｓ）へハンドオーバした移動端末２の、自セル（接続セルｓ）におけるハンドオーバ後の通信品質を示す情報が挙げられる。また、自セルハンドオーバ後通信品質情報として、隣接セルｎから自セル（接続セルｓ）へハンドオーバした移動端末２の、自セル（接続セルｓ）におけるハンドオーバ後の通信品質を示す情報が挙げられる。
【００９１】
なお、自セル（接続セルｓ）で測定された端末通信品質情報は、隣接セルｎから自セル（接続セルｓ）を「Target Cell」としたハンドオーバ後における、自セル（接続セルｓ）における移動端末２の通信品質を示す。したがって、自セルの基地局１からの入力データ２１に含まれる端末通信品質情報は、隣接セルｎから自セル（接続セルｓ）を「Target Cell」としたハンドオーバ後における、自セル（接続セルｓ）における移動端末２の通信品質を示している。
【００９２】
隣接セルｎを「Target Cell」としたハンドオーバにおける、ハンドオーバ後の隣接セルｎにおける通信品質値は、電力差「Ｍ（ｓ，ｎ）−Ｍ（ｓ，ｓ）」の閾値を大きくすると、改善することができる。これは、実施例１に係るハンドオーバ前の通信品質値を改善する場合とは、電力差「Ｍ（ｓ，ｎ）−Ｍ（ｓ，ｓ）」の閾値の調整方向が逆である。したがって、隣接セルｎを「Target Cell」としたハンドオーバにおける、ハンドオーバ後の隣接セルｎにおけるパケット誤り率は、電力差「Ｍ（ｓ，ｎ）−Ｍ（ｓ，ｓ）」の閾値を大きくすると、パケット誤り率を低減することができる。
【００９３】
通信品質情報作成部１１は、自セルハンドオーバ後通信品質情報を出力データ３２として出力する。出力データ３２は隣接セルの基地局１へ送信される。出力データ３２として隣接セルの基地局１へ送信された自セルハンドオーバ後通信品質情報は、隣接セルのハンドオーバパラメータ調整装置１０へ入力データ３１として入力される。該入力データ３１として入力された自セルハンドオーバ後通信品質情報は、隣接セルのハンドオーバパラメータ調整装置１０において、隣接セルにおけるハンドオーバ後通信品質情報（隣接セルハンドオーバ後通信品質情報）として扱われる。
【００９４】
ハンドオーバパラメータ調整装置１０において、入力データ３１に含まれる隣接セルハンドオーバ後通信品質情報は、閾値調整重み計算部１２に入力される。閾値調整重み計算部１２は、式（３）により、閾値調整重みを算出する。この式（３）の閾値調整重みで示される調整方向は、Ｏｃ（ｓ，ｎ）の調整方向を示すので、実施例１で説明したように、電力差「Ｍ（ｓ，ｎ）−Ｍ（ｓ，ｓ）」の閾値の調整方向とは逆になる。
【００９５】
閾値調整重み =
−(w1×(「Too Early HO」発生回数)+b1)
+(w2×(「Too Late HO」発生回数)+b2)
−(w3×(隣接セルnを「Target Cell」とした「HO to Wrong Cell」発生回数)+b3)
+(w4×(隣接セルnを「Reconnection Cell」とした「HO to Wrong Cell」発生回数)+b4)
−(w6×(隣接セルnにおいて、自セルからのハンドオーバにおける、ハンドオーバ後のパケット誤り率)+b6)
・・・（３）
【００９６】
但し、ｗ１、ｗ２、ｗ３、ｗ４及びｗ６並びにｂ１、ｂ２、ｂ３、ｂ４及びｂ６は実数である。ハンドオーバパラメータ調整を行う際には、ｗ１、ｗ２、ｗ３、ｗ４及びｗ６並びにｂ１、ｂ２、ｂ３、ｂ４及びｂ６の設定値によって、各ハンドオーバ失敗事象とハンドオーバ後のパケット誤り率をどの程度考慮するのかを調整することができる。例えばｗ３、ｂ３、ｗ４及びｂ４を０とすれば、「HO to Wrong Cell」を考慮せず、「Too Early HO」、「Too Late HO」及びハンドオーバ後のパケット誤り率のみを考慮して、ハンドオーバ失敗率及びハンドオーバ後のパケット誤り率を下げるパラメータ調整を実施することができる。
【００９７】
閾値決定部１３は、閾値調整重み計算部１２によって算出された式（３）の閾値調整重みに基づいて、隣接基地局ｎ（隣接セルｎ）ごとにＯｃ（ｓ，ｎ）を決定する。該決定された各隣接基地局ｎ（隣接セルｎ）のＯｃ（ｓ，ｎ）は、出力データ２２として出力される。ハンドオーバパラメータ調整処理の結果である出力データ２２は、電力差「Ｍ（ｓ，ｎ）−Ｍ（ｓ，ｓ）」の閾値を定めるものである。
【００９８】
実施例３に係るハンドオーバパラメータ調整処理は、実施例１に係る図３と同様である。但し、オフセット調整重みは式（３）の閾値調整重みのことを指す。
【００９９】
上述した実施例３によれば、式（３）の閾値調整重み（オフセット調整重み）を使用することによって、ハンドオーバパラメータの調整方向が相反するハンドオーバ失敗事象（第１のハンドオーバ失敗事象、第２のハンドオーバ失敗事象）と、ハンドオーバ後のパケット誤り率とを考慮して、Ｏｃ（ｓ，ｎ）の調整方向が決められる。これにより、ハンドオーバパラメータの調整方向が相反するハンドオーバ失敗事象が同時に発生する場合に、ハンドオーバパラメータ調整の安定性の向上を図るとともに、ハンドオーバ後のパケット誤り率の調整を行うことができるという効果が得られる。
【実施例４】
【０１００】
実施例４は実施例３の変形例である。実施例４に係るセルラシステム、ハンドオーバパラメータ調整装置１０の各構成は実施例３と同様である。また、実施例４に係るハンドオーバパラメータ調整処理は、実施例３と同様である。但し、実施例４では、図３のステップＳ１におけるパラメータ調整の実行条件Ａ１は、自セルにおいて、以下の条件Ａ１−１、Ａ１−２、Ａ１−３、Ａ１−６、Ａ１−７のいずれかが成立することである。
【０１０１】
（条件Ａ１−１）ハンドオーバ失敗率が規定値（ｘ１％）以上である。
（条件Ａ１−２）隣接セル個別のハンドオーバ失敗率が規定値（ｘ２％）以上である。
（条件Ａ１−３）隣接セル個別のピンポン・ハンドオーバ発生回数が規定値（ｚ回）以上であることである。
（条件Ａ１−６）ハンドオーバ後のパケット誤り率が規定値（α１％）以上である。
（条件Ａ１−７）隣接セル個別のハンドオーバ後のパケット誤り率が規定値（α２％）以上である。
【０１０２】
実施例４では、パラメータ調整の実行条件として、ハンドオーバ後のパケット誤り率に関する条件Ａ１−６、Ａ１−７を含む。これにより、ハンドオーバ後のパケット誤り率を改善させる効果がより高まる。
【０１０３】
また、実施例４では、パラメータ調整の実行条件として、ピンポン・ハンドオーバ発生回数に関する条件Ａ１−３を含む。これにより、ピンポン・ハンドオーバに対しても改善効果が期待できる。
【実施例５】
【０１０４】
実施例５は、ハンドオーバ前及びハンドオーバ後の通信品質の調整を可能とする実施例である。実施例５に係るセルラシステム、ハンドオーバパラメータ調整装置１０の各構成は実施例１と実施例３の組み合わせに相当する。
【０１０５】
実施例５に係るハンドオーバパラメータ調整装置１０には、自セルの基地局１からの入力データ２１及び隣接セルの基地局１からの入力データ３１が入力される。ハンドオーバパラメータ調整装置１０は、入力データ２１及び入力データ３１を用いてハンドオーバパラメータ調整処理を行い、出力データ２２を自セルの基地局１へ出力する。また、ハンドオーバパラメータ調整装置１０は、出力データ３２を隣接セルの基地局１へ出力する。
【０１０６】
自セルの基地局１からの入力データ２１は、実施例１と同様であり、自セル（接続セルｓ）で発生した各ハンドオーバ失敗事象の発生回数と、自セル（接続セルｓ）における移動端末２の通信品質を示す端末通信品質情報とを有する。隣接セルの基地局１からの入力データ３１は、実施例３と同様であり、隣接セルハンドオーバ後通信品質情報を有する。
【０１０７】
通信品質情報作成部１１は、実施例１と同様に、入力データ２１に含まれる各移動端末２のパケット誤り率を使用して、ハンドオーバ前通信品質情報を作成する。ハンドオーバ前通信品質情報は、閾値調整重み計算部１２へ出力される。
【０１０８】
また、通信品質情報作成部１１は、実施例３と同様に、入力データ２１に含まれる各移動端末２のパケット誤り率を使用して、自セルハンドオーバ後通信品質情報を作成する。この自セルハンドオーバ後通信品質情報は、出力データ３２として出力され、隣接セルの基地局１へ送信される。該自セルハンドオーバ後通信品質情報は、隣接セルのハンドオーバパラメータ調整装置１０へ入力データ３１として入力され、隣接セルハンドオーバ後通信品質情報として扱われる。
【０１０９】
ハンドオーバパラメータ調整装置１０において、入力データ３１に含まれる隣接セルハンドオーバ後通信品質情報は、閾値調整重み計算部１２に入力される。閾値調整重み計算部１２は、入力データ２１に含まれる各ハンドオーバ失敗事象の発生回数と、通信品質情報作成部１１によって作成されたハンドオーバ前通信品質情報と、入力データ３１に含まれる隣接セルハンドオーバ後通信品質情報とを使用して、式（４）により、閾値調整重みを算出する。この式（４）の閾値調整重みで示される調整方向は、Ｏｃ（ｓ，ｎ）の調整方向を示すので、実施例１で説明したように、電力差「Ｍ（ｓ，ｎ）−Ｍ（ｓ，ｓ）」の閾値の調整方向とは逆になる。
【０１１０】
閾値調整重み =
−(w1×(「Too Early HO」発生回数)+b1)
+(w2×(「Too Late HO」発生回数)+b2)
−(w3×(隣接セルnを「Target Cell」とした「HO to Wrong Cell」発生回数)+b3)
+(w4×(隣接セルnを「Reconnection Cell」とした「HO to Wrong Cell」発生回数)+b4)
+(w5×(隣接セルnを「Target Cell」としたハンドオーバにおける、ハンドオーバ前のパケット誤り率)+b5)
−(w6×(隣接セルnにおいて、自セルからのハンドオーバにおける、ハンドオーバ後のパケット誤り率)+b6)
・・・（４）
【０１１１】
但し、ｗ１、ｗ２、ｗ３、ｗ４、ｗ５及びｗ６並びにｂ１、ｂ２、ｂ３、ｂ４、ｂ５及びｂ６は実数である。ハンドオーバパラメータ調整を行う際には、ｗ１、ｗ２、ｗ３、ｗ４、ｗ５及びｗ６並びにｂ１、ｂ２、ｂ３、ｂ４、ｂ５及びｂ６の設定値によって、各ハンドオーバ失敗事象とハンドオーバ前のパケット誤り率とハンドオーバ後のパケット誤り率をどの程度考慮するのかを調整することができる。例えばｗ３、ｂ３、ｗ４及びｂ４を０とすれば、「HO to Wrong Cell」を考慮せず、「Too Early HO」、「Too Late HO」、ハンドオーバ前のパケット誤り率及びハンドオーバ後のパケット誤り率のみを考慮して、ハンドオーバ失敗率、ハンドオーバ前のパケット誤り率及びハンドオーバ後のパケット誤り率を下げるパラメータ調整を実施することができる。
【０１１２】
閾値決定部１３は、閾値調整重み計算部１２によって算出された式（４）の閾値調整重みに基づいて、隣接基地局ｎ（隣接セルｎ）ごとにＯｃ（ｓ，ｎ）を決定する。該決定された各隣接基地局ｎ（隣接セルｎ）のＯｃ（ｓ，ｎ）は、出力データ２２として出力される。ハンドオーバパラメータ調整処理の結果である出力データ２２は、電力差「Ｍ（ｓ，ｎ）−Ｍ（ｓ，ｓ）」の閾値を定めるものである。
【０１１３】
実施例５に係るハンドオーバパラメータ調整処理は、実施例１に係る図３と同様である。但し、オフセット調整重みは式（４）の閾値調整重みのことを指す。
【０１１４】
上述した実施例５によれば、式（４）の閾値調整重み（オフセット調整重み）を使用することによって、ハンドオーバパラメータの調整方向が相反するハンドオーバ失敗事象（第１のハンドオーバ失敗事象、第２のハンドオーバ失敗事象）と、ハンドオーバ前のパケット誤り率と、ハンドオーバ後のパケット誤り率とを考慮して、Ｏｃ（ｓ，ｎ）の調整方向が決められる。これにより、ハンドオーバパラメータの調整方向が相反するハンドオーバ失敗事象が同時に発生する場合に、ハンドオーバパラメータ調整の安定性の向上を図るとともに、ハンドオーバ前のパケット誤り率及びハンドオーバ後のパケット誤り率の調整を行うことができるという効果が得られる。
【実施例６】
【０１１５】
実施例６は実施例５の変形例である。実施例６に係るセルラシステム、ハンドオーバパラメータ調整装置１０の各構成は実施例５と同様である。また、実施例６に係るハンドオーバパラメータ調整処理は、実施例５と同様である。但し、実施例６では、図３のステップＳ１におけるパラメータ調整の実行条件Ａ１は、自セルにおいて、以下の条件Ａ１−１、Ａ１−２、Ａ１−３、Ａ１−４、Ａ１−５、Ａ１−６、Ａ１−７のいずれかが成立することである。
【０１１６】
（条件Ａ１−１）ハンドオーバ失敗率が規定値（ｘ１％）以上である。
（条件Ａ１−２）隣接セル個別のハンドオーバ失敗率が規定値（ｘ２％）以上である。
（条件Ａ１−３）隣接セル個別のピンポン・ハンドオーバ発生回数が規定値（ｚ回）以上であることである。
（条件Ａ１−４）ハンドオーバ前のパケット誤り率が規定値（α１％）以上である。
（条件Ａ１−５）隣接セル個別のハンドオーバ前のパケット誤り率が規定値（α２％）以上である。
（条件Ａ１−６）ハンドオーバ後のパケット誤り率が規定値（α１％）以上である。
（条件Ａ１−７）隣接セル個別のハンドオーバ後のパケット誤り率が規定値（α２％）以上である。
【０１１７】
実施例６では、パラメータ調整の実行条件として、ハンドオーバ前のパケット誤り率に関する条件Ａ１−４、Ａ１−５及びハンドオーバ後のパケット誤り率に関する条件Ａ１−６、Ａ１−７を含む。これにより、ハンドオーバ前のパケット誤り率及びハンドオーバ後のパケット誤り率を改善させる効果がより高まる。
【０１１８】
また、実施例６では、パラメータ調整の実行条件として、ピンポン・ハンドオーバ発生回数に関する条件Ａ１−３を含む。これにより、ピンポン・ハンドオーバに対しても改善効果が期待できる。
【０１１９】
以上、本発明の実施形態について図面を参照して詳述してきたが、具体的な構成はこの実施形態に限られるものではなく、本発明の要旨を逸脱しない範囲の設計変更等も含まれる。
【０１２０】
例えば、上述した各実施例では、端末通信品質情報としてパケット誤り率を使用したが、パケット送達遅延時間、スループットなどの他の通信品質値を使用してもよい。また、一つの通信品質値のみを使用してもよく、又は、いずれか複数の通信品質値を一緒に使用してもよい。
【０１２１】
また、上述の実施形態では、ＬＴＥシステムを例に挙げて説明したが、他のセルラシステムにも適用可能である。
【０１２２】
また、上述したハンドオーバパラメータ調整装置１０を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
【０１２３】
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【０１２４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１２５】
１…基地局、２…移動端末、１０…ハンドオーバパラメータ調整装置、１１…通信品質情報作成部、１２…閾値調整重み計算部、１３…閾値決定部、１１０，１２０，１３０…セル
【図１】
2015091113.tif 000004
【図２】
2015091113.tif 000005
【図３】
2015091113.tif 000006
【図４】
2015091113.tif 000007